(57)【要約】【課題】  特定の装置から提供された情報のみを共有することで高い安全性を確保して情報共有できるようにした情報共有システムおよびゲートウェイ装置および情報共有方法を提供する。【解決手段】  ＩＰ電話機同士の通話サービスにより音声セションが確立された状態で、情報提供先ネットワークのゲートウェイ装置２１から情報提供元ネットワークのクライアントＰＣ１３のＩＰアドレスを要求し、ＩＰアドレスの開示許可が通知されると、プリントサーバ２４とプリンタ２３のＩＰアドレスを前記クライアントＰＣ１３に通知し、そのクライアントＰＣ１３のＩＰアドレスをプリントサーバ２４に登録する。クライアントＰＣ１３では、通知されたプリントサーバ２４のＩＰアドレスを宛て先として印刷データを送信し、受信したプリントサーバ２４がその印刷データの送信元のＩＰアドレスが登録されたＩＰアドレスであるか判断することで印刷出力を行う。【選択図】図１
2007286821.tif 000002
【特許請求の範囲】
【請求項１】
各地点に設けられた電話機同士による通話セションを確立し、当該通話セションが確立された地点のゲートウェイ装置同士がデジタル通信することによりデジタル情報を共有する情報共有システムにおいて、
前記デジタル情報を管理した管理装置を有する地点の相手先に対して当該管理装置のネットワーク識別情報を要求する要求手段と、
前記要求手段によって要求した相手先から前記管理装置のネットワーク識別情報を受信し、該ネットワーク識別情報を前記管理装置を有する相手先のゲートウェイ装置のネットワーク識別情報に関連付けて登録する登録手段と、
前記要求手段によるネットワーク識別情報の要求を行った相手先の管理装置から前記デジタル情報の処理要求を受け付ける受付手段と、
前記受付手段によって受け付けた処理要求に含まれる要求元のネットワーク識別情報が前記登録手段で登録した前記管理装置のネットワーク識別情報と合致するか確認する確認手段と
を具備し、
前記確認手段によって登録されたネットワーク識別情報と合致することが確認できた場合に前記デジタル情報を各地点間で共有する
ことを特徴とする情報共有システム。
【請求項２】
各地点に設けられた電話機同士によって通話セションを確立し、当該通話セションが確立された地点のゲートウェイ装置同士がデジタル通信することにより相手先からデジタル情報を受け付け、前記デジタル情報を画像形成装置で画像形成することにより共有する情報共有システムにおいて、
前記ゲートウェイ装置は、
前記デジタル情報を管理した管理装置を有する地点の相手先に対して当該管理装置のネットワーク識別情報を要求する要求手段と、
前記要求手段による要求によって相手先から受信した前記管理装置のネットワーク識別情報を相手先のゲートウェイ装置のネットワーク識別情報に関連付けて登録する登録手段と、
前記要求手段によるネットワーク識別情報の要求を行った相手先の管理装置から前記デジタル情報の画像形成要求を受け付ける受付手段と、
前記受付手段によって受け付けた画像形成要求に含まれる要求元のネットワーク識別情報が前記登録手段で登録した前記管理装置のネットワーク識別情報と合致するか確認する確認手段と、
前記確認手段によって登録されたネットワーク識別情報と合致することが確認できた場合に前記デジタル情報を前記画像形成装置に転送する転送手段と
を具備し、
前記画像形成装置は、
前記転送手段によって転送されてきた前記デジタル情報の画像形成を行う
ことを特徴とする情報共有システム。
【請求項３】
前記登録手段によって登録した前記管理装置のネットワーク識別情報を用いた前記確認手段による要求元の確認を有効および無効に設定する有効無効設定手段
を更に具備し、
前記確認手段は、
前記受付手段で受け付けた前記処理要求のネットワーク識別情報が前記設定手段によって有効と設定されている場合に前記登録手段で登録されたネットワーク識別情報と合致するか確認する
ことを特徴とする請求項１または２記載の情報共有システム。
【請求項４】
前記登録手段によって登録した前記管理装置のネットワーク識別情報を前記通話セションの切断とともに消去する消去手段
を更に具備することを特徴とする請求項１または２記載の情報共有システム。
【請求項５】
前記電話機を用いた通話セションの切断によって、前記登録手段で登録した前記管理装置のネットワーク識別情報を前記設定手段によって無効と設定する
ことを特徴とする請求項１乃至３のいずれかに記載の情報共有システム。
【請求項６】
各地点に設けられた電話機同士による通話セションを確立し、当該通話セションが確立された地点のゲートウェイ装置同士がデジタル通信することによりデジタル情報を共有する情報共有方法において、
前記デジタル情報を管理した管理装置を有する地点の相手先に対して当該管理装置のネットワーク識別情報を前記ゲートウェイ装置で要求手段によって要求し、
前記要求手段によって要求した相手先から前記管理装置のネットワーク識別情報を受信し、該ネットワーク識別情報を前記管理装置を有する相手先のゲートウェイ装置のネットワーク識別情報に関連付けて登録手段で登録し、
前記要求手段によるネットワーク識別情報の要求を行った相手先の管理装置から前記デジタル情報の処理要求を受付手段で受け付け、
前記受付手段によって受け付けた処理要求に含まれる要求元のネットワーク識別情報が前記登録手段で登録した前記管理装置のネットワーク識別情報と合致するか確認手段で確認し、
前記確認手段によって登録されたネットワーク識別情報と合致することが確認できた場合に前記デジタル情報を各地点間で共有する
ことを特徴とする情報共有方法。
【発明の詳細な説明】
【技術分野】
【０００１】
本発明は、相互ネットワーク間で情報共有を行う情報共有システムおよびゲートウェイ装置および方法に関し、特に、特定の相手先からのデジタル情報のみを受けることによって安全性の高い情報共有を行えるようにした情報共有システムおよびゲートウェイ装置に関する。
【背景技術】
【０００２】
一般に、電子文書などの情報を複数のユーザで共有する場合、その共有するユーザが共通的にアクセスできる装置、例えば、文書管理サーバなどを設けることにより情報共有を行うことができる。また、不特定多数の人に情報を提供する場合には、Ｗｅｂコンテンツを提供するＷｅｂサーバなどを立ち上げることで第三者への情報提供を行うことができる。
【０００３】
その中でも、特定のユーザ間で情報を共有する場合には、単純に電子メール機能やＰ２Ｐ（Peer to Peer）機能などを用いてその情報を送信することで共有することが一般的である。
【０００４】
情報提供を受けた被情報提供者（利用者）は、その提供内容を参照することによって情報共有することができるが、その提供された情報の内容の問い合わせを情報提供者に対して行う場合、例えば、電話、ファクシミリ、電子メール、掲示板などの方法を用いて問い合わせることができる。この場合、情報提供を行った提供者からみると、ある特定の情報を提供している場合には、その情報に対する問い合わせであることが容易に判断が付くが、しかし、さまざまな情報の提供を行っている場合には、その問い合わせ対象となる情報を特定するまでに時間を要することになる。
【０００５】
また、その問い合わせに対して情報提供者は、必要に応じて更なる情報をその問い合わせを行ってきたユーザに提供する場合がある。このような場合において、即座に情報提供を行うには、その問い合わせを常時監視する必要があるほか、その提供する情報を予め用意しておく必要がある。
【０００６】
情報を提供する技術の一例として、情報提供元と提供先とが遠距離にあり、提供先に設置されたプリンタに対してその情報を出力する印刷サービスを提供できるようにした従来技術が特許文献１に開示されている。
【０００７】
この特許文献１に開示された従来技術においては、ＩＰＰ（Internet Printing Protocol）でファイアウォールを越えられないプリントサーバに対してＩＰＰで通信できるプロキシ装置を設け、そのプロキシ装置にプリントサーバのサーバサイトを開設することでプリントサーバをインターネット上で公開されたＩＰＰサーバと見なし、印刷サービス要求、レスポンスをやり取りできるようにしている。
【０００８】
このような技術を用いることにより、情報提供元と提供先とで必要な情報が容易に共有することができるようになるが、近年急速に発展した技術を悪用した脅威（リスク）が発生していることも事実であり、これらの脅威からその共有するデジタル情報を保護する必要がある。
【０００９】
その脅威の中に、ＤｏＳ（Denial of Service）攻撃や送信元ＩＰアドレス偽装などが存在し、これらの脅威によって必要としない情報が無制限に送り付けられてしまう可能性がある。
【特許文献１】特開２００３−５８４５９
【発明の開示】
【発明が解決しようとする課題】
【００１０】
しかしながら、特許文献１に示された従来技術においては、プロキシ装置を設けることでファイアウォールを越えて通信できるようにしているが、情報提供先のプリンタの詳細情報を予め知っておく必要があり、不特定多数の提供先との情報共有を行うことができないという問題がある。
【００１１】
また、この従来技術では、プロキシ装置を新たに設ける必要があるためそのシステムの構築に多くの時間と多額のコストを要することとなる。
【００１２】
さらに、ＤｏＳ（Denial of Service）攻撃や送信元ＩＰアドレス偽装などの脅威に対して保全するための措置を予め講じる必要がある。
【００１３】
そこで、本発明は、特定の装置から提供された情報のみを共有するようにして高い安全性を確保して情報共有できるようにした情報共有システムおよびゲートウェイ装置および情報共有方法を提供することを目的とする。
【課題を解決するための手段】
【００１４】
上記目的を達成するため、請求項１の発明は、各地点に設けられた電話機同士による通話セションを確立し、当該通話セションが確立された地点のゲートウェイ装置同士がデジタル通信することによりデジタル情報を共有する情報共有システムにおいて、前記デジタル情報を管理した管理装置を有する地点の相手先に対して当該管理装置のネットワーク識別情報を要求する要求手段と、前記要求手段によって要求した相手先から前記管理装置のネットワーク識別情報を受信し、該ネットワーク識別情報を前記管理装置を有する相手先のゲートウェイ装置のネットワーク識別情報に関連付けて登録する登録手段と、前記要求手段によるネットワーク識別情報の要求を行った相手先の管理装置から前記デジタル情報の処理要求を受け付ける受付手段と、前記受付手段によって受け付けた処理要求に含まれる要求元のネットワーク識別情報が前記登録手段で登録した前記管理装置のネットワーク識別情報と合致するか確認する確認手段とを具備し、前記確認手段によって登録されたネットワーク識別情報と合致することが確認できた場合に前記デジタル情報を各地点間で共有することを特徴とする。
【００１５】
また、請求項２の発明は、各地点に設けられた電話機同士による通話セションを確立し、当該通話セションが確立された地点のゲートウェイ装置同士がデジタル通信することにより相手先からデジタル情報を受け付け、前記デジタル情報を画像形成装置で画像形成することにより共有する情報共有システムにおいて、前記ゲートウェイ装置は、前記デジタル情報を管理した管理装置を有する地点の相手先に対して当該管理装置のネットワーク識別情報を要求する要求手段と、前記要求手段による要求によって相手先から受信した前記管理装置のネットワーク識別情報を相手先のゲートウェイ装置のネットワーク識別情報に関連付けて登録する登録手段と、前記要求手段によるネットワーク識別情報の要求を行った相手先の管理装置から前記デジタル情報の画像形成要求を受け付ける受付手段と、前記受付手段によって受け付けた画像形成要求に含まれる要求元のネットワーク識別情報が前記登録手段で登録した前記管理装置のネットワーク識別情報と合致するか確認する確認手段と、前記確認手段によって登録されたネットワーク識別情報と合致することが確認できた場合に前記デジタル情報を前記画像形成装置に転送する転送手段とを具備し、前記画像形成装置は、前記転送手段によって転送されてきた前記デジタル情報の画像形成を行うことを特徴とする。
【００１６】
また、請求項３の発明は、請求項１または２の発明において、前記登録手段によって登録した前記管理装置のネットワーク識別情報を用いた前記確認手段による要求元の確認を有効および無効に設定する有効無効設定手段を更に具備し、前記確認手段は、前記受付手段で受け付けた前記処理要求のネットワーク識別情報が前記設定手段によって有効と設定されている場合に前記登録手段で登録されたネットワーク識別情報と合致するか確認することを特徴とする。
【００１７】
また、請求項４の発明は、請求項１または２の発明において、前記登録手段によって登録した前記管理装置のネットワーク識別情報を前記通話セションの切断とともに消去する消去手段を更に具備することを特徴とする。
【００１８】
また、請求項５の発明は、請求項１乃至３のいずれかの発明において、前記電話機を用いた通話セションの切断によって、前記登録手段で登録した前記管理装置のネットワーク識別情報を前記設定手段によって無効と設定することを特徴とする。
【００１９】
また、請求項６の発明は、請求項１の発明において、各地点に設けられた電話機同士による通話セションを確立し、当該通話セションが確立された地点のゲートウェイ装置同士がデジタル通信することによりデジタル情報を共有する情報共有方法において、前記デジタル情報を管理した管理装置を有する地点の相手先に対して当該管理装置のネットワーク識別情報を前記ゲートウェイ装置で要求手段によって要求し、前記要求手段によって要求した相手先から前記管理装置のネットワーク識別情報を受信し、該ネットワーク識別情報を前記管理装置を有する相手先のゲートウェイ装置のネットワーク識別情報に関連付けて登録手段で登録し、前記要求手段によるネットワーク識別情報の要求を行った相手先の管理装置から前記デジタル情報の処理要求を受付手段で受け付け、前記受付手段によって受け付けた処理要求に含まれる要求元のネットワーク識別情報が前記登録手段で登録した前記管理装置のネットワーク識別情報と合致するか確認手段で確認し、前記確認手段によって登録されたネットワーク識別情報と合致することが確認できた場合に前記デジタル情報を各地点間で共有することを特徴とする。
【発明の効果】
【００２０】
本発明によれば、ＩＰ電話機同士による音声セションが確立されたネットワークのノード間で、デジタル情報を管理したクライアントＰＣのＩＰアドレス及び当該デジタル情報を印刷出力するプリンタ及びプリントサーバのＩＰアドレスを共有する。その後、プリンタサーバで受信した印刷データに示された要求元ＩＰアドレスが先に共有したクライアントＰＣのＩＰアドレスと同一である場合にそのデジタル情報をプリンタから印刷出力するように構成したので、通話状態にある相手先のネットワークからの情報のみを印刷出力することができるようになり、第三者からの不正な情報を印刷出力することがなくなるため、高い安全性を確保した情報共有が可能となるという効果を奏する。
【００２１】
また、音声セションとともにデータセションを確立し、当該データセションによるデータ通信を行うように構成したので、情報共有にかかる手間を要することなく簡単に必要な情報を相互間で共有することができるようになるという効果をも奏する。
【発明を実施するための最良の形態】
【００２２】
以下、本発明に係わる情報共有システムおよびゲートウェイ装置および情報共有方法の一実施例を添付図面を参照して詳細に説明する。
【実施例１】
【００２３】
図１は、本発明に係わる情報共有システムおよびゲートウェイ装置および情報共有方法を適用して構成したシステム構成図である。
【００２４】
図１において、この情報共有システムは、通信回線を用いた音声通信、映像やチャットなどのブロードバンド通信に代表される通信サービスの利用により、所定のデジタル情報をその通信サービスの通信相手と相互に共有するシステムであって、その通信サービスによる通信相手からのみ情報提供を受けるようにすることで高い安全性を確保した情報共有を実現するシステムである。
【００２５】
さらに、その通信サービスの通信相手との切断により、当該通信相手との情報共有も行えないようにすることでより高い安全性を確保した情報共有システムを提供する。
【００２６】
このときの音声通信として、例えばＶｏＩＰ（Voice over Internet Protocol）技術を用いたＩＰ電話があり、また、ブロードバンド通信としてネットワークカメラを用いたリアルタイム動画配信やビデオチャットなどがある。
【００２７】
このような通信サービスを用いて通信状態にある相手と情報共有を行う。
【００２８】
なお、以下では通信サービスとして「ＩＰ電話」を用いた場合の例を説明する。
【００２９】
この情報共有システムは、ＩＰ電話で呼を受け付けてデジタル情報を提供する情報提供元ネットワーク１０、情報提供元ネットワーク１０へとＩＰ電話を用いて呼を発信することでデジタル情報の提供を受ける情報提供先ネットワーク２０から構成され、情報提供元ネットワーク１０と接続された情報提供先ネットワーク２０は１つ以上のネットワークセグメントから構成される。
【００３０】
情報提供元ネットワーク１０と情報提供先ネットワーク２０は、通信回線によって接続されており、例えば、インターネット接続のほか、ＶＰＮ（Virtual Private Network）や広域イーサネット（登録商標）サービスに代表される公衆回線や専用線を用いて接続する。もちろん、これらのＷＡＮ（Wide Area Network）接続だけでなくＬＡＮケーブルを用いた閉域ネットワーク内の接続であってもよい。この場合、情報提供元ネットワーク１０と情報提供先ネットワーク２０とが同一のネットワーク内（ＬＡＮ内）にあることを示す。
【００３１】
情報提供元ネットワーク１０は、ゲートウェイ装置１１、ＩＰ電話機１２、クライアントＰＣ１３を具備して構成され、情報提供先ネットワーク２０は、ゲートウェイ装置２１、ＩＰ電話機２２、プリンタ２３、プリントサーバ２４を具備して構成される。これらのネットワークを接続して構成するこの情報共有システムでは、情報提供元ネットワーク１０に設置されたクライアントＰＣ１３の記憶領域で保存されたデジタル情報を情報提供先ネットワーク２０に設置されたプリンタ２３で印刷出力することによって相互間で情報共有する。
【００３２】
また、各ネットワークに属するそれぞれの装置は、全てがＬＡＮケーブルによって接続されたノードであって相互通信が可能である。
【００３３】
以下に、ネットワークを構成する各ノードに付いて説明する。
【００３４】
まず、情報提供元ネットワーク１０において、ゲートウェイ装置１１は、ルータやレイヤー３スイッチによって構成され、ネットワークのエッジ部分に設置されて情報提供元ネットワーク１０内部と外部ネットワークとのデータ通信をブリッジする機能を有する。
【００３５】
また、このゲートウェイ装置１１は、情報提供元ネットワーク１０を構成するノードへの経路情報を保持し、受信したデータの宛て先情報（ＩＰアドレスやポート番号、ＭＡＣアドレスなど）を参照することによりその経路情報に基づいてデータを転送する。すなわち、図１に示す情報提供元ネットワーク１０はＩＰ電話機１２、クライアントＰＣ１３の各ノードによって構成され、音声パケットなどをＩＰ電話機１２へ転送し、他のパケットをクライアントＰＣ１３へと転送する。
【００３６】
また、このゲートウェイ装置１１では、外部ネットワークからクライアントＰＣ１３のＩＰアドレス通知要求を受信し、この通知要求を受信することによりクライアントＰＣ１３のＩＰアドレスを開示することが適当であるかを確認する開示確認処理を行う。この開示確認処理では、ＩＰアドレスの通知要求の送信元を識別することで適当な相手であるかを判断するとともに、本情報共有システムの利用が可能であるかを確認する。開示確認処理によって開示できる場合には通知要求元に対してＩＰアドレスの開示が可能である旨を示す「許可応答」を送信し、また反対に、開示できない場合には「拒否応答」を送信する。
【００３７】
許可応答を送信した相手先ネットワークから共有するデジタル情報を処理する装置、例えば、プリンタ２３やプリントサーバ２４などの装置のＩＰアドレスを受信し、これと引き換えに経路情報として管理したクライアントＰＣ１３のＩＰアドレスを転送する。受信したプリンタ２３やプリントサーバ２４のＩＰアドレスは、相互ネットワーク間で共有するデジタル情報を管理したクライアントＰＣ１３へ転送する。
【００３８】
ＩＰ電話機１２は、音声をパケット化し、相手先のネットワーク（情報提供先ネットワーク２０）のＩＰ電話機２２との音声セションを確立してその相手先と相互通信することで通話を行う。
【００３９】
クライアントＰＣ１３は、相互ネットワーク間で共有するデジタル情報を管理し、データセションが確立された相手先ネットワークへ印刷要求する。この印刷要求の宛て先情報として指定するＩＰアドレスはデータセションの確立時に通知されたＩＰアドレスであって、また、送信元情報として指定するＩＰアドレスは予めクライアントＰＣ１３に設定されたＩＰアドレスである。
【００４０】
次に、情報提供先ネットワーク２０において、ゲートウェイ装置２１は、情報提供元ネットワーク１０のゲートウェイ装置１１同様、ネットワークを構成するノードへの経路情報を保持し、その経路情報に基づいてデータを転送する。
【００４１】
また、情報提供先ネットワーク２０内部のＩＰ電話機２２からの音声パケットの受信して情報提供元ネットワーク１０へとその音声パケットを転送することで呼出を行う。この呼出の間、プリントサーバ２４に対して状態確認要求を転送することで動作状態を確認する。プリントサーバ２４の動作状態が確認でき、呼出に相手先のＩＰ電話機１２が応答することで音声セションが確立されると、続いて、その音声セションが確立されたネットワークのゲートウェイ装置１１に対してデジタル情報を管理したクライアントＰＣ１３のＩＰアドレスを要求する。
【００４２】
この要求に対して、クライアントＰＣ１３のＩＰアドレスが開示可能である許可応答を受信した場合には、さらに動作確認を行ったプリントサーバ２４とプリンタ２３のＩＰアドレスを通知する。これにより受信したクライアントＰＣ１３のＩＰアドレスをプリントサーバ２４へと転送する。
【００４３】
これらの処理によって、ＩＰ電話機同士で音声セションを確立したネットワーク間でデータセションが確立され、デジタル情報の相互通知が可能となる。
【００４４】
このデータセションが確立された状態で印刷要求を受信すると、その印刷要求の宛て先情報として示されたプリントサーバ２４へと転送する。
【００４５】
ＩＰ電話機２２は、音声をパケット化し、呼を相手先のネットワークへと送信することで呼出を行い、呼出に対する応答を受信することで音声セションが確立する。ちなみに、ＩＴＵ−Ｔ（国際電気通信連合）などで標準化されたＨ．３２３やＭＧＣＰ（Media Gateway Control Protocol）、Ｈ．２４８、ＳＩＰ（Session Initiation Protocol）などの呼制御プロトコルを用いることによってＩＰ電話機同士の音声セションの確立を行う。
【００４６】
プリンタ２３は、デジタル情報を印刷出力することにより相互ネットワーク間で情報共有する画像形成装置の一例である。また、プリントサーバ２４からの印刷要求に基づき印字媒体への印刷処理を行う。
【００４７】
プリントサーバ２４は、相手先の情報提供元ネットワーク１０のクライアントＰＣ１３からの印刷要求を印刷制御する。その印刷要求に対する印刷を行うためのプリンタ２３の動作確認を随時行う。また、ゲートウェイ装置２１からの状態確認要求に基づいてプリンタ２３の動作状態とともに正常動作である場合には状態確認応答をゲートウェイ装置２１に対して応答する。
【００４８】
さらに、ゲートウェイ装置（１１、２１）同士の通信により情報提供元ネットワーク１０のクライアントＰＣ１３のＩＰアドレスを受信し、相手先のゲートウェイ装置１１に対するＩＰアドレスとして登録して管理する。この管理状態の一例を図４で示す。
【００４９】
そして、このプリントサーバ２４が印刷要求を受信すると、その印刷要求の送信元ＩＰアドレスに指定されたＩＰアドレスが管理したＩＰアドレスに登録されているかを確認する。登録されている場合には印刷要求を受け付けてプリンタ２３に印刷出力を行う。
【００５０】
このプリントサーバ２４では、ＩＰ電話機同士の音声セションが解放されると同時に切断処理が行われて、登録したＩＰアドレスを消去する。なお、登録したＩＰアドレスを消去するのではなく、一時的に無効状態にしておき、再度音声セションが確立されたときに参照するような構成であってもよい。前者の場合のＩＰアドレスの登録状態を図４に示し、後者の場合のＩＰアドレスの登録状態を図１０に示す。
【００５１】
以上のような構成によって、プリントサーバ２４に登録したＩＰアドレスを送信元ＩＰアドレスとして印刷要求のみを印刷出力することができるようになる。
【００５２】
これにより、音声セションの確立された状態にある相手先のネットワークの特定の装置からのみデータを受信することができるようになり、高い安全性を確保した情報共有が可能となる。
【００５３】
図２は、図１に示した構成の変形例を示す図である。
【００５４】
図１では、プリントサーバ２４を設けて印刷制御を行っているが、図２では、プリントサーバ２４を設けるのでなくプリンタ２３が図１に示したプリントサーバ２４の機能を持ち、印刷制御するように構成した図である。
【００５５】
図３は、本願発明のプリントサーバの構成を示すブロック図である。
【００５６】
図３に示すプリントサーバは、通信部３０１、制御部３０２、記憶部３０３、状態確認部３０４、アドレス制御部３０５、管理部３０６、出力制御部３０７、Ｕ／Ｉ３０８を具備して構成され、ＩＰ電話機による通話要求を行うネットワークであって共有するデジタル情報の提供を受ける情報提供先ネットワークに設置される。
【００５７】
ゲートウェイ装置からプリンタの状態確認要求を通信インターフェースである通信部３０１で受けると、制御部３０２を介して状態確認部３０４で監視状態にあるプリンタの状態を応答する。この状態確認部３０４では、通信部３０１を介して接続状態にあるプリンタの動作状態を一定の間隔で監視し、プリンタに異常が発生した場合などはその旨をＵ／Ｉ３０８を用いて報知する。
【００５８】
また、この通信部３０１で、情報提供元ネットワークのクライアントＰＣのＩＰアドレスを受け付けると、制御部３０２に通知し、制御部３０２でアドレス制御部３０５にそのＩＰアドレスの登録指示を行う。このアドレス制御部３０５では、制御部からのＩＰアドレス登録指示に基づき、受信した情報提供元ネットワークのゲートウェイ装置に関連付けてそのＩＰアドレスを管理部３０６に登録する。
【００５９】
すなわち、管理部３０６では、ネットワークのゲートウェイ装置ごとに共有するデジタル情報を有したクライアントＰＣのＩＰアドレスを管理する。このときの管理したＩＰアドレスの管理状態を図４に示す。
【００６０】
図４は、「（相手先の）ゲートウェイ装置ＩＰアドレス」カラム（４０１）、「印刷許可ＩＰアドレス」カラム（４０２）から構成されるアドレスリストを示しており、「（相手先の）ゲートウェイ装置ＩＰアドレス」カラム（４０１）には、音声セションが確立されたネットワークのゲートウェイ装置のＩＰアドレスが示され、「印刷許可ＩＰアドレス」カラム（４０２）には、印刷許可した装置のＩＰアドレスが示される。
【００６１】
この「印刷許可ＩＰアドレス」カラム（４０２）に登録されたＩＰアドレスの装置からの印刷データのみを印刷許可する。ちなみに、このアドレスリストは音声セションが切断されることにより自動的に消去する。
【００６２】
これにより、特定の装置からの印刷要求のみをプリンタで印刷出力することができる。
【００６３】
そして、図３の通信部３０１では、印刷要求を受け付けると、制御部３０２に印刷要求を受け付けたことを通知し、制御部３０２がその印刷要求に対する印刷データを記憶部３０３に記憶するとともにその旨をアドレス制御部３０５に通知する。このときのアドレス制御部３０５は、記憶部３０３に記憶された印刷要求に対する印刷データに指定された印刷要求元のＩＰアドレスを解析する。そして、解析したＩＰアドレスが通話状態にあるゲートウェイ装置に対するＩＰアドレスとして管理部３０６で管理されているか判断する。
【００６４】
管理部３０６で印刷要求元のＩＰアドレスを管理している状態にあると判断したアドレス制御部３０５は、その旨を制御部３０２に通知する。さらにこの制御部３０２では、その印刷データの印刷要求を出力制御部３０７に行い、出力制御部３０７が印刷ジョブを通信部３０１を介してプリンタに転送する。
【００６５】
プリンタに転送した印刷ジョブが当該プリンタで正常に印刷出力されたことを通信部３０１を介して制御部３０２で受信すると、その旨を示す印刷完了通知を制御部３０２で作成してクライアントＰＣに送信する。
【００６６】
また、通信部３０１を介してゲートウェイ装置から切断情報が通知されると、制御部３０２がアドレス制御部３０５に対してその切断情報に含まれるゲートウェイ装置のＩＰアドレスをリスト上から消去する指示を行い、アドレス制御部３０５がその指示内容に基づいて管理部３０６で管理したＩＰアドレスを消去する。
【００６７】
なお、Ｕ／Ｉ３０９は、表示ディスプレイやキーボード、ポインティングデバイス、タッチパネルなどのユーザインターフェースであって、さまざまな情報を表示するほか、このＵ／Ｉ３０９を用いてユーザが処理を指示することができる。
【００６８】
このような構成により、プリントサーバでは、登録したＩＰアドレスと合致したＩＰアドレスを持つ印刷要求のみをプリンタで印刷出力することができる。
【００６９】
図５は、本願発明の情報提供システムにおける処理全体の流れを示すシーケンス図である。
【００７０】
図５において、情報提供先ネットワークのＩＰ電話機を用いて情報提供元ネットワークのＩＰ電話機を呼び出す（５０１）。この呼出により情報提供先ネットワークのゲートウェイ装置では、プリントサーバに対してプリンタの状態を確認する状態確認要求を送信し（５０２）、そのプリントサーバからプリンタの状態を示す状態確認応答を受信する（５０３）。プリントサーバでは、常時、プリンタの稼動状態を確認している状態にある。
【００７１】
情報提供先ネットワークのゲートウェイ装置が同ネットワーク内のプリンタの状態確認が行えた状態で、ＩＰ電話機による呼出の応答が行われる（５０４）と、相互ネットワーク間で音声セションが確立された状態となる。
【００７２】
音声セションが確立された状態で情報提供先ネットワークのゲートウェイ装置から情報提供元ネットワークに対して、デジタル情報を管理した装置（本実施例では「クライアントＰＣ」を示す）のＩＰアドレスを要求する（５０５）。このＩＰアドレスの要求を受けた情報提供元ネットワークのゲートウェイ装置では、その要求に対して同ネットワークのクライアントＰＣのＩＰアドレスを開示してよいか確認する開示確認処理を行う（５０６）。
【００７３】
この開示確認処理では、クライアントＰＣのＩＰアドレスの要求元を識別し、つまり、音声セションが確立されたネットワークのゲートウェイ装置から行われた要求であるか識別する。要求元がセションが確立されたネットワークのゲートウェイ装置であると確認できた場合などに、ＩＰアドレスの通知を許可する応答（「許可応答」ともいう）を返信する（５０７）。
【００７４】
それに対して、ＩＰアドレスの要求元がセションが確立されたネットワークのゲートウェイ装置であると確認できない場合には、ＩＰアドレスを通知することができない応答（「拒否応答」ともいう）を返信する（５０７）。この拒否応答を返信した場合には、情報共有におけるデータセションの確立を行う処理を停止する。
【００７５】
この（５０５）から（５０７）の処理によって、本システムを用いた情報共有の処理が可能であるかを確認でき、許可応答を情報提供先ネットワークのゲートウェイ装置で受信した場合に可能であると確認できる。
【００７６】
そして、許可応答を受信した情報提供先ネットワークのゲートウェイ装置では、続いて、同ネットワークに接続されたプリントサーバとプリンタのＩＰアドレスを情報提供元ネットワークのゲートウェイ装置に通知する（５０８）。この通知を受けた情報提供元ネットワークのゲートウェイ装置は、同ネットワーク内の共有するデジタル情報を管理したクライアントＰＣのＩＰアドレスを返信する（５０９）。また同時に、情報提供元ネットワークのゲートウェイ装置では、受信したプリントサーバとプリンタのＩＰアドレスをクライアントＰＣに通知する（５１０）。
【００７７】
そして、情報提供元ネットワークのゲートウェイ装置から通知されたクライアントＰＣのＩＰアドレスを受けた情報提供先ネットワークのゲートウェイ装置は、プリントサーバにそのＩＰアドレスを通知する（５１２）。
【００７８】
これにより、情報提供先ネットワークのプリントサーバと情報提供元ネットワークのクライアントＰＣとの間でデータセションが確立される。
【００７９】
この状態で、情報提供先ネットワークのプリントサーバでは、通知されたＩＰアドレスを受信したネットワークのゲートウェイ装置のＩＰアドレスに対応付けて登録する（５１３）。この対応付けの例を図４に示す。
【００８０】
受信したクライアントＰＣのＩＰアドレスが登録された状態で、印刷要求を受け付けると（５１４）、受け付けた印刷要求に対する印刷データに示された印刷要求元ＩＰアドレスを確認するアドレス確認処理を行う（５１５）。このアドレス確認処理の詳細なフローを図７のフローチャートで示す。
【００８１】
そして、印刷要求元ＩＰアドレスが登録したＩＰアドレスと一致した場合にプリンタに対して印刷要求を行う（５１６）。
【００８２】
印刷要求を受けたプリンタでは、印刷出力処理を行い、印刷原稿を出力する（５１７）。正常に印刷が完了すると、完了通知をプリントサーバに送信し（５１８）、プリントサーバは印刷要求元である情報提供元ネットワークのクライアントＰＣに対して印刷完了通知を送信する（５１９）。
【００８３】
これにより、音声セションが確立された通話相手とのネットワーク間で情報共有が行われる。
【００８４】
そして、情報提供元ネットワーク若しくは情報提供先ネットワークのＩＰ電話機から通話の切断されると（図５では、情報提供元ネットワークのＩＰ電話から切断が行われた例を示す）、情報提供先ネットワークのゲートウェイ装置では、同ネットワークのプリントサーバに対して切断情報を送信する（５２１）。切断情報を受信したプリントサーバでは、切断処理を行う。この切断処理の詳細なフローを図８のフローチャートで示す。
【００８５】
ちなみに、情報提供元ネットワークのＩＰ電話機から通話の切断されると、情報提供先ネットワークのゲートウェイ装置に切断要求が行われ（５２０）、この切断要求を受けたゲートウェイ装置が切断情報をプリントサーバに送信することとなる。
【００８６】
以上に示すシーケンス図により、音声通話による音声セションが確立された相手とのみデータ通信を行うことができるようになる。
【００８７】
図６は、本願発明の情報提供先ネットワークのゲートウェイ装置における処理を示すフローチャートである。
【００８８】
図６において、情報提供先ネットワークのゲートウェイ装置では、ＩＰ電話機を用いた通話の発信を行う。そのＩＰ電話機による通話に対して音声セションが確立された状態で、情報提供元ネットワークのゲートウェイ装置に対して共有するデジタル情報が管理された装置（クライアントＰＣ）のＩＰアドレスを要求する（６０１）。
【００８９】
ＩＰアドレスの取得要求に対して、情報提供元ネットワークのゲートウェイ装置から許可応答が返信されたか判断する（６０２）。許可応答でなく拒否応答を受信した場合（６０２でＮＯ）、つまり、情報提供元ネットワークでＩＰアドレスの通知を拒否した場合には、情報共有における処理を中止する。
【００９０】
それに対して、許可応答を受信した場合（６０２でＹＥＳ）には、音声セションが確立されたネットワークのゲートウェイ装置にプリンタとプリントサーバのＩＰアドレスを通知する（６０３）。これに対して、情報提供元ネットワークのゲートウェイ装置がクライアントＰＣのＩＰアドレスを送信して情報提供先ネットワークのゲートウェイ装置でそのＩＰアドレスを受信すると（６０４）、受信したＩＰアドレスをプリントサーバに転送する（６０５）。プリントサーバでは、受信した情報提供元ネットワークのゲートウェイ装置に対するクライアントＰＣのＩＰアドレスを登録する。
【００９１】
そして、情報提供元ネットワークのゲートウェイ装置から印刷データを受信すると（６０６）、その印刷データをプリントサーバに転送する（６０７）。プリンタで印刷出力が完了した後にＩＰ電話機による音声セションの切断が指示されると、ネットワーク間の音声セションを切断する処理を行い（６０８）、切断情報をプリントサーバに通知する（６０９）。
【００９２】
このような処理によって、ゲートウェイ装置では、デジタル情報を保有するクライアントＰＣのＩＰアドレスを取得することができる。
【００９３】
図７は、本願発明のプリントサーバにおける確認処理を示すフローチャートである。
【００９４】
図７において、この確認処理は、ゲートウェイ装置から印刷データの印刷要求を受け付けると開始され、その印刷要求された印刷データを解析して印刷要求元のＩＰアドレスを特定する（７０１）。特定したＩＰアドレスを登録されたリスト上で確認する（７０２）。
【００９５】
そのＩＰアドレスがリスト上に登録されているか判断し（７０３）、登録されている場合（７０３でＹＥＳ）には、その印刷データを接続されたプリンタに転送する（７０４）。
【００９６】
それに対して、特定した印刷要求元のＩＰアドレスがリスト上に登録されていない場合（７０３でＮＯ）には、情報共有のための印刷処理を中止して（７０５）、印刷処理を中止した旨をプリントサーバ若しくはプリンタに表示する（７０６）。
【００９７】
このような処理によって、リスト上に登録された印刷要求元からの印刷データのみを印刷出力することができる。
【００９８】
図８は、本願発明のプリントサーバにおける切断処理を示すフローチャートである。
【００９９】
図８において、この切断処理は、ＩＰ電話機による通話が切断されることによって行われる処理であって、情報提供先ネットワークのゲートウェイ装置から切断要求を受けると処理が開始され、その切断要求に含まれる切断情報を受信する（８０１）。
【０１００】
受信した切断情報を展開してその切断情報における処理を可能とする（８０２）。その切断情報に基づき、指定されたゲートウェイ装置に対するＩＰアドレスのリストを消去する（８０３）。
【０１０１】
これにより、音声セションの解放と同時に当該セションの接続相手のＩＰアドレスを消去することができ、不要な印刷出力が行われることを防止することができる。
【実施例２】
【０１０２】
実施例１の変形例を図９〜図１１の図面を用いて説明する。
【０１０３】
図９は、図５で示す本願発明の情報提供システムにおける処理全体の流れを示すシーケンス図の他の例を示したシーケンス図である。
【０１０４】
図５に示すシーケンス図では、情報提供元ネットワークから共有するデジタル情報を管理したクライアントＰＣのＩＰアドレスを受信して登録するような構成であるが、図９に示すシーケンス図では、一度受信して登録したＩＰアドレスを再利用することでアクセス回線の回線効率を向上させた流れを示している。
【０１０５】
なお、図９は図５に示したシーケンス図の変形例であるため異なる点を中心に説明する。
【０１０６】
ＩＰ電話機を用いた音声セションが確立された状態で、情報提供を受けるネットワーク（情報提供先ネットワーク）のゲートウェイ装置が情報提供を行うネットワーク（情報提供元ネットワーク）のゲートウェイ装置に対してデジタル情報を管理したクライアントＰＣのＩＰアドレスを要求する（５０５）。その要求に対して情報提供元ネットワークのゲートウェイ装置で開示確認処理が行われて（５０６）、その応答としてクライアントＰＣのＩＰアドレスを開示してもよいことを応答する許可応答若しくはＩＰアドレスの開示を拒否する拒否応答のいずれかを情報提供先ネットワークのゲートウェイ装置で受信する（５０７）。
【０１０７】
その情報提供先ネットワークのゲートウェイ装置では、許可応答を受信した場合に同ネットワークのプリントサーバに対してその許可応答を転送する（９０１）。許可応答を受信したプリントサーバでは、その許可応答を解析して送信元の情報提供元ネットワークのゲートウェイ装置のＩＰアドレスを特定する。そのＩＰアドレスが図１０に示すような一覧に登録されているか確認する登録確認処理を行う（９０２）。この登録確認処理の詳細な処理の流れを図１１のフローチャートに示す。
【０１０８】
ちなみに図９に示すシーケンス図では、登録確認処理によって情報提供元ネットワークのゲートウェイ装置のＩＰアドレスが一覧に登録されている場合の流れを示しているが、登録されていない場合には共有するデジタル情報を管理した情報提供元ネットワークのクライアントＰＣのＩＰアドレスを要求する処理が行われる（図示せず）。
【０１０９】
一覧に登録されている場合には、この時点で相互ネットワーク間でデータセションが確立され、データ通信が可能となる。
【０１１０】
これにより、情報提供元ネットワークのクライアントＰＣからの印刷要求を受け付けることができ、これ以降、図５のシーケンス図で示すような処理が行われて相互ネットワーク間で情報共有が可能となる。
【０１１１】
図１０は、図４に示す印刷許可したＩＰアドレスの一覧を示すＩＰアドレスリストの変形例を示す図である。
【０１１２】
図１０では、図４の相手先のゲートウェイ装置のＩＰアドレスに対する印刷許可ＩＰアドレスの一覧に「状態」カラム（１００１）を付与したＩＰアドレスリストであり、図４に示すＩＰアドレスリスト同様、情報提供先ネットワークのプリントサーバで管理される。
【０１１３】
この「状態」カラム（１００１）は、音声セションとデータセションが確立されたネットワーク間において、「印刷許可ＩＰアドレス」カラム（４０２）に登録されたＩＰアドレスを有効とするか無効とするかを設定したカラムであって、[active]と示されている場合には「印刷許可ＩＰアドレス」カラム（４０２）のＩＰアドレスを有効とし、[Non_active]と示されている場合には同様に、「印刷許可ＩＰアドレス」カラム（４０２）のＩＰアドレスを無効とする。
【０１１４】
図１０において、「（相手先の）ゲートウェイ装置ＩＰアドレス」カラム（４０１）の値が[ゲートウェイ装置のＩＰアドレス（１）]であるレコードの「状態」カラムには、[active]が設定されていた状態を示し、また、「（相手先の）ゲートウェイ装置ＩＰアドレス」カラム（４０１）の値が[ゲートウェイ装置のＩＰアドレス（２）]であるレコードの「状態」カラムには、[Non_active]が設定された状態を示している。
【０１１５】
すなわち、ゲートウェイ装置のＩＰアドレス（１）に対する印刷許可ＩＰアドレスとして示されたクライアントＰＣのＩＰアドレスが有効であることを示している。
【０１１６】
このゲートウェイ装置に対する印刷許可ＩＰアドレスは、一定の時間が経過することにより消去するように構成してもよい。
【０１１７】
図１１は、図９のシーケンス図で示した登録確認処理の詳細な処理の流れを示すフローチャートである。
【０１１８】
図１１に示す登録確認処理は、情報提供元ネットワークのゲートウェイ装置から許可応答が送信されてきた場合に情報提供先ネットワークのプリントサーバで実行されるフローであって、許可応答を受信すると、その許可応答を解析することにより送信元のゲートウェイ装置のＩＰアドレスを特定する（１１０１）。
【０１１９】
特定したゲートウェイ装置のＩＰアドレスに対する印刷許可ＩＰアドレスの一覧が図１０に示すようなＩＰアドレス一覧のテーブルに登録されているか確認（１１０２）し、登録済みであるか判断する（１１０３）。この判断処理では、解析したゲートウェイ装置のＩＰアドレスが図１０に示す「（相手先の）ゲートウェイ装置のＩＰアドレス」のカラムに登録されているか判断する。
【０１２０】
この判断処理によって、登録済みであると判断した場合（１１０３でＹＥＳ）には、そのゲートウェイ装置のＩＰアドレスに対する印刷許可ＩＰアドレスの「状態」カラムを[active]へと更新する（１１０４）。すなわち、印刷許可ＩＰアドレスを持つ装置からのデータ受信を可能とする。
【０１２１】
それに対して、解析したゲートウェイ装置のＩＰアドレスが登録済みでない場合（１１０３でＮＯ）には、許可応答の送信元であるゲートウェイ装置に対して相互ネットワーク間で共有するデジタル情報を管理したクライアントＰＣのＩＰアドレスを要求する（１１０５）。その応答として、受信したクライアントＰＣのＩＰアドレスを図１０に示すような一覧に登録し、その「状態」カラムを[active]へと更新する（１１０６）。これにより、登録したクライアントＰＣから送られてくるデジタル情報を受信することができるようになる。
【０１２２】
ちなみに、図９に示すシーケンスでは、上記のような登録確認処理のフローで許可応答の送信元であるゲートウェイ装置のＩＰアドレスが登録されている場合の流れを示している。
【０１２３】
なお、図１０に示すような印刷許可ＩＰアドレスの一覧は、一定の時間が経過することによってそのＩＰアドレスの情報を更新するように構成してもよいし、また、一定の時間が経過することによって一覧からＩＰアドレスを消去するように構成してもよい。これにより、最新のＩＰアドレスを保持することができるとともにアクセス効率の向上になる。
【０１２４】
以上の実施例２に示す処理では、実施例１の処理に比べて回線効率が向上し、より簡単に情報共有が可能となる。
【０１２５】
以上の実施例１または実施例２に示すような構成、処理によって、本発明の情報共有システムでは、音声通話による音声セションが確立された相手とのみデータ通信を行うことができ、さらに音声セションが確立された相手先ネットワークの特定の装置からの印刷要求のみを処理することができる。
【０１２６】
これによって、音声セションが確立された状態にあって、なおかつ特定の装置からの印刷要求を処理することができ、意図しない相手先からの不正な情報を受信することを防止できる。
【０１２７】
従って、本発明を適用することにより、高い安全性を確保したデータ通信による相互ネットワーク間での情報共有が可能になるという効果を期待できる。
【０１２８】
本発明は、上記し、且つ図面に示す実施例に限定することなく、その要旨を変更しない範囲内で適宜変形して実施できるものである。
【産業上の利用可能性】
【０１２９】
本発明は、相互ネットワーク間で情報共有を行う情報共有システムに適用可能であり、特に、音声セションが確立されたネットワークのクライアントＰＣからの印刷要求に対してのみ印刷出力を行うことで高い安全性を確保した状態で情報共有するのに有用である。
【図面の簡単な説明】
【０１３０】
【図１】本願発明の情報提供システムにおけるネットワーク構成を示す図。
【図２】本願発明の情報提供システムにおけるネットワーク構成を示す他の図。
【図３】本願発明のプリントサーバの構成を示すブロック図。
【図４】本願発明のプリントサーバで管理するＩＰアドレスの一覧を示す図。
【図５】本願発明の情報提供システムにおける処理全体の流れを示すシーケンス図。
【図６】本願発明のゲートウェイ装置における処理を示すフローチャート。
【図７】本願発明のプリントサーバにおける確認処理を示すフローチャート。
【図８】本願発明のプリントサーバにおける切断処理を示すフローチャート。
【図９】図５で示す本願発明の情報提供システムにおける処理全体の流れを示すシーケンス図の他の例を示したシーケンス図。
【図１０】図４に示す印刷許可したＩＰアドレスの一覧を示すＩＰアドレスリストの変形例を示す図。
【図１１】図９のシーケンス図で示した登録確認処理の詳細な処理の流れを示すフローチャート。
【符号の説明】
【０１３１】
１０        情報提供元ネットワーク
１１        ゲートウェイ装置
１２        ＩＰ電話機
１３        クライアントＰＣ
２０        情報提供先ネットワーク
２１        ゲートウェイ装置
２２        ＩＰ電話機
２３        プリントサーバ
２４        プリンタ
３０１      通信部
３０２      制御部
３０３      記憶部
３０４      状態確認部
３０５      アドレス制御部
３０６      管理部
３０７      出力制御部
【図１】
2007286821.tif 000003
【図２】
2007286821.tif 000004
【図３】
2007286821.tif 000005
【図４】
2007286821.tif 000006
【図５】
2007286821.tif 000007
【図６】
2007286821.tif 000008
【図７】
2007286821.tif 000009
【図８】
2007286821.tif 000010
【図９】
2007286821.tif 000011
【図１０】
2007286821.tif 000012
【図１１】
2007286821.tif 000013